(57)【要約】      （修正有）【課題】シミ状欠陥を精度よく検出することができる検査装置、検査装置、及びイメージセンサを提供する。【解決手段】試料５０を照明する照明光１１を生成する光源１０と、照明光１１により照明された試料５０の暗視野の画像を撮像する撮像部２０と、試料５０の上面５１に平行な面内において試料５０の上面５１を回転させる回転角を設定する回転角設定部と、回転角を第１の回転角及び第１の回転角と異なる第２の回転角とした試料５０の画像に基づいて、試料５０に存在する欠陥の検査を行う処理部３０と、を備える。【選択図】図１
2017138246.tif 000002
【特許請求の範囲】
【請求項１】
試料を照明する照明光を生成する光源と、
前記照明光により照明された前記試料の暗視野の画像を撮像する撮像部と、
前記試料の上面に平行な面内において前記試料の前記上面を回転させる回転角を設定する回転角設定部と、
前記回転角を第１の回転角及び前記第１の回転角と異なる第２の回転角とした前記試料の前記画像に基づいて、前記試料に存在する欠陥の検査を行う処理部と、
を備えた検査装置。
【請求項２】
前記第１の回転角と前記第２の回転角との角度差は、180°である請求項１に記載の検査装置。
【請求項３】
前記回転角設定部は、前記試料が載置されたステージに設けられた請求項１または２に記載の検査装置。
【請求項４】
前記試料は、イメージセンサが設けられたウエハであり、
前記欠陥は、前記イメージセンサの受光部上のシミ状欠陥である請求項１〜３のいずれか一項に記載の検査装置。
【請求項５】
試料の上面に平行な面内において前記試料の前記上面を回転させる回転角を設定する工程と、
前記試料に対して照明光を照明する工程と、
前記照明光により照明された前記試料の暗視野の画像を撮像する工程と、
前記回転角を第１の回転角及び前記第１の回転角と異なる第２の回転角とした前記試料の前記画像に基づいて、前記試料に存在する欠陥の検査を行う工程と、
を備えた検査方法。
【請求項６】
前記第１の回転角と前記第２の回転角との角度差を、180°とする請求項５に記載の検査方法。
【請求項７】
前記試料を載置するステージにより前記回転角を設定する請求項５または６に記載の検査方法。
【請求項８】
前記試料は、イメージセンサが設けられたウエハであり、
前記欠陥は、前記イメージセンサの受光部上のシミ状欠陥である請求項５〜７のいずれか一項に記載の検査方法。
【請求項９】
請求項５〜８のいずれか一項に記載の検査方法を用いて検査されたイメージセンサ。
【発明の詳細な説明】
【技術分野】
【０００１】
本発明は、検査装置、検査方法、及びイメージセンサに関するものであり、特に、ウエハの欠陥を検査する検査装置、検査方法、及びイメージセンサに関する。
【背景技術】
【０００２】
ウエハの欠陥の検査として、マクロ検査、ミクロ検査等が挙げられる。マクロ検査は、ウエハに光を照射し、反射光または散乱光等の情報から欠陥を検出する検査である。一方、ミクロ検査は、高倍率光学系等を用いて微小欠陥を検出する検査である。
【０００３】
マクロ検査には、照明光によって照明された試料からの正反射光を検出して検査する明視野検査と、正反射光以外の散乱光等を検出して検査する暗視野検査とがある。特許文献１〜特許文献９には、ウエハの欠陥のマクロ検査に関する検査装置及び検査方法が開示されている。
【先行技術文献】
【特許文献】
【０００４】
【特許文献１】特開２０１０−２５６３５９号公報
【特許文献２】国際公開第２００５／０４０７７６号
【特許文献３】特開２００７−０６７１０２号公報
【特許文献４】特開２００７−２４０５１２号公報
【特許文献５】特開２０１３−２０５２３９号公報
【特許文献６】特開２０１４−１２６４３０号公報
【特許文献７】特開２０００−１９３５９４号公報
【特許文献８】特開２００１−０９１４７３号公報
【特許文献９】特開２００４−０９３２５２号公報
【発明の概要】
【発明が解決しようとする課題】
【０００５】
イメージセンサには、例えば、表面照射型（Front Side Illumination：FSI型）と裏面照射型（Back Side Illumination）がある。FSI型のイメージセンサは、従来型といわれ、ウエハの表面に形成されたフォトダイオード上に、さらに配線層が形成された表面を受光面としている。受光面には、カラーフィルター（CF）及びマイクロレンズ（ML）等が設けられる。FSI型は受光面上に配線が位置しており、入射光を有効に利用することができない。一方、BSI型のイメージセンサは、ウエハの表面にフォトダイオードを形成し、ウエハの裏面を薄く研磨して受光面を形成している。裏面の受光面には、さらに、カラーフィルター（CF）及びマイクロレンズ（ML）等が設けられる。BSI型は、受光面上に配線が位置しておらず、入射光を有効に利用でき、感度の向上が期待されている。
【０００６】
受光面にカラーフィルター（CF）及びマイクロレンズ（ML）を形成するためのレジスト塗布・現像・洗浄等の工程において、シミ状の欠陥（「シミ状欠陥」という。）が発生することがある。シミ状欠陥が存在すると、イメージセンサの受光部の特性に対して影響を及ぼす。したがって、イメージセンサの品質向上のためには、シミ状欠陥を検出し、シミ状欠陥を制御することが不可欠となっている。
【０００７】
シミ状欠陥の検出には、例えば、暗視野撮像・検査が用いられる。シミ状欠陥による散乱光を検出することにより、暗視野検査をすることができる。しかしながら、暗視野検査では、シミ状欠陥以外の、例えば、バックグラウンドノイズも検出される。そして、シミ状欠陥と、バックグラウンドノイズとの分離を精度よく行うことができず、シミ状欠陥の検出漏れや誤検出を起こすことが問題となっていた。
【０００８】
本発明は、このような問題を解決するためになされたものであり、シミ状欠陥を精度よく検出することができる検査装置、検査方法、及びイメージセンサを提供する。
【課題を解決するための手段】
【０００９】
本発明に係る検査装置は、試料を照明する照明光を生成する光源と、前記照明光により照明された前記試料の暗視野の画像を撮像する撮像部と、前記試料の上面に平行な面内において前記試料の前記上面を回転させる回転角を設定する回転角設定部と、前記回転角を第１の回転角及び前記第１の回転角と異なる第２の回転角とした前記試料の前記画像に基づいて、前記試料に存在する欠陥の検査を行う処理部と、を備える。これにより、シミ状欠陥を精度よく検出することができる。
【００１０】
また、前記第１の回転角と前記第２の回転角との角度差は、180°である。これにより、欠陥の検出の精度を向上させることができる。
【００１１】
さらに、前記回転角設定部は、前記試料が載置されたステージに設けられている。これにより、欠陥の検査のスループットを向上させることができる。
【００１２】
また、前記試料は、イメージセンサが設けられたウエハであり、前記欠陥は、前記イメージセンサの受光部上のシミ状欠陥である。これにより、シミ状欠陥を精度よく検出することができる。
【００１３】
本発明に係る検査方法は、試料の上面に平行な面内において前記試料の前記上面を回転させる回転角を設定する工程と、前記試料に対して照明光を照明する工程と、前記照明光により照明された前記試料の暗視野の画像を撮像する工程と、前記回転角を第１の回転角及び前記第１の回転角と異なる第２の回転角とした前記試料の前記画像に基づいて、前記試料に存在する欠陥の検査を行う工程と、を備える。これにより、シミ状欠陥を精度よく検出することができる。
【００１４】
また、前記第１の回転角と前記第２の回転角との角度差を、180°とする。これにより、欠陥の検出の精度を向上させることができる。
【００１５】
さらに、前記試料を載置するステージにより前記回転角を設定する。これにより、欠陥の検査のスループットを向上させることができる。
【００１６】
また、前記試料は、イメージセンサが設けられたウエハであり、前記欠陥は、前記イメージセンサの受光部上のシミ状欠陥である。これにより、シミ状欠陥を精度よく検出することができる。
【００１７】
本発明に係るイメージセンサは、前記記載の検査方法を用いて検査されたものである。これにより、シミ状欠陥が制御されたイメージセンサを提供することができる。
【発明の効果】
【００１８】
本発明によれば、シミ状欠陥を精度よく検出することができる検査装置、検査方法、及びイメージセンサを提供することができる。
【図面の簡単な説明】
【００１９】
【図１】実施形態に係る検査装置を例示した図である。
【図２】実施形態に係る検査装置を例示した断面図である。
【図３】（ａ）及び（ｂ）は、実施形態に係る検査装置において、第１の回転角及び第２の回転角を例示した図である。
【図４】実施形態に係る検査装置を用いた検査方法を例示したフローチャート図である。
【図５】実施形態に係る検査装置により取得した試料の画像を模式的に例示した図であり、（ａ）は、第１の回転角を0°に設定した場合における画像を示し、（ｂ）は、第２の回転角を180°に設定した場合における画像を示し、（ｃ）は、処理部により合成した画像を示す。
【発明を実施するための形態】
【００２０】
以下、本実施形態の具体的構成について図面を参照して説明する。以下の説明は、本発明の好適な実施の形態を示すものであって、本発明の範囲が以下の実施の形態に限定されるものではない。以下の説明において、同一の符号が付されたものは実質的に同様の内容を示している。
【００２１】
本実施形態は、例えば、裏面照射型（Back Side Illumination ：BSI型）イメージセンサの製造工程で発生する欠陥を検査する検査装置についてのものである。まず、検査装置の構成を説明する。図１は、実施形態に係る検査装置を例示した図である。図２は、実施形態に係る検査装置を例示した断面図である。図３（ａ）及び（ｂ）は、実施形態に係る検査装置において、第１の回転角及び第２の回転角を例示した図である。
【００２２】
図１〜図３に示すように、検査装置１は、光源１０、撮像部２０、処理部３０、ステージ４０を有している。ステージ４０の上面は、例えば、水平である。ステージ４０上には、検査対象の試料５０を載置する。試料５０は、例えば、イメージセンサが設けられたウエハである。
【００２３】
図１〜図３において、説明の便宜上、ＸＹＺ直交座標系を導入する。Ｚ軸方向が鉛直方向であり、ステージ４０の上面と垂直な方向である。Ｘ軸方向及びＹ軸方向が水平方向であり、ステージ４０の上面と平行な方向である。ステージ４０上に試料５０を載置して試料５０の欠陥を検査する。
【００２４】
光源１０は、試料５０を照明する照明光を生成する。光源１０は、ステージ４０の上方に配置されている。例えば、光源１０は、ライン状の照明光１１を照射する線状光源である。光源１０は、例えば、可視光、又は赤外光等の照明光１１を照射する。光源１０は、斜め方向、すなわちＺ軸から傾いた方向から試料５０を照明する。
【００２５】
照明光１１は、試料５０の上面５１において、例えば、Ｙ方向に沿ったライン状の領域を均一に照明する。試料５０の上面５１において、照明光１１のＹ方向の長さは、試料５０の検査領域の全体にわたっている。Ｙ軸方向にライン状に延びた照明光１１を、Ｙ軸方向から見たとき、照明光１１の光軸の中心入射角、すなわち、試料５０の上面５１上におけるＺ軸と、照明光１１の光軸とのなす角度（照明角度１１ａという。）は、任意でよいが、好ましくは4°〜45°、例えば、7°とする。このような照明角度１１ａとすることによって、膜ムラ及びストリエーション等が試料５０上にあったとしても、それらの影響なく、シミ状欠陥をコントラストよく撮像することができる。
【００２６】
撮像部２０は、照明光１１により照明された試料５０の暗視野の画像を撮像する。撮像部２０は、ステージ４０の上方に配置されている。撮像部２０は、例えば、Ｙ軸方向に受光画素が並んだラインセンサカメラである。撮像部２０には、フォトダイオードが一列に配列されている。撮像部２０の画素サイズは、例えば、数μｍ〜数十μｍ程度であり、試料５０上での画素サイズも同程度となっている。撮像部２０のラインセンサは、ライン状の照明光１１によって照射された試料５０におけるライン状の領域からの光１２を検出する。光１２は、試料５０からの散乱光を含んでいる。試料５０の表面及び内部に存在する欠陥に応じて光１２の強度が変化する。撮像部２０のラインセンサは、光１２の強度の変化を、光１２の輝度値の変化として検出する。
【００２７】
撮像部２０のラインセンサは、斜め方向、すなわちＺ軸から傾いた方向からの光１２を検出する。Ｙ軸方向に延びたライン状の領域からの光１２を、Ｙ軸方向から見たとき、試料５０の上面５１上におけるＺ軸と、光１２の光軸とのなす角度（カメラ角度１２ａという）は、照明光１１の正反射光の反射角プラス2°〜8°とするのが好ましい。例えば、照明角度１１ａが7°であれば、カメラ角度１２ａは9°〜15°、例えば、11°とする。照明角度１１ａが17°であれば、カメラ角度１２ａは19°〜25°、例えば、21°とする。このようなカメラ角度１２ａとすることによって、膜ムラ及びストリエーション等が試料５０上にあったとしても、それらの影響なく、シミ状欠陥をコントラストよく撮像することができる。
【００２８】
なお、ＸＺ平面における光源１０からの照明光１１の照明角度１１ａと、撮像部２０のカメラ角度１２ａは同じでも異なってもよいが、暗視野の画像により欠陥の検査を行う場合には異なっていることが好ましい。暗視野の画像により欠陥の検査を行う場合には、撮像部２０は、照明光１１によって照明された試料５０からの、正反射光以外の光を検出する。
【００２９】
撮像部２０のＹ軸に沿って配置させたラインセンサは、試料５０の検査領域のＹ軸に沿って照明された部分からの光１２を受光する。例えば、ラインセンサは、Ｙ軸に沿ってＮ個の画素を有する。ラインセンサは、検査領域のＹ軸方向に沿ってＮ個の輝度値を検出する。そして、ステージ４０をＸ軸方向に所定間隔で移動させながら、Ｙ軸に沿ったＮ個の画素による検出を繰り返す。Ｘ軸方向にＭ個の画素分だけ移動させることにより、ラインセンサは、検査領域の、例えば、Ｍ×Ｎ個の輝度値を検出する。このようにして、撮像部２０は、検査領域の画像を撮像する。撮像部２０は、撮像した画像データを処理部３０に送信する。
【００３０】
照明角度１１ａとカメラ角度１２ａは可変になっている。例えば、光源１０をＹ軸周りに回転させることで、照明角度１１ａを変えることができる。また、撮像部２０をＹ軸周りに回転させることで、カメラ角度１２ａを変えることができる。光源１０と撮像部２０の角度は独立して調整することができる。ステージ４０をＸ軸またはＹ軸周りに傾けて照明角度１１ａ及びカメラ角度１２ａを変更してもよい。
【００３１】
ステージ４０には、検査対象の試料５０が載置されている。試料５０の表面はＺ軸方向と直交している。ステージ４０は、例えば、Ｘ軸方向に移動可能となっている。ステージ４０をＸ軸方向に移動させながら、照明光１１によって照明された領域からの光１２を撮像部２０のラインセンサが検出する。
【００３２】
ステージ４０は、Ｚ軸周りに回転することができる。すなわち、ステージ４０は、試料５０の上面５１に平行な面内において上面５１を回転させることができる。これにより、ＸＹ平面内において、試料５０の角度を変えることができる。試料５０の上面に平行な面内において上面５１を回転させる角度を回転角という。検査装置１において、回転角を設定する部分を回転角設定部という。検査装置１において、回転角設定部は、試料５０が載置されたステージ４０に設けられている。ステージ４０は、複数個の回転角、例えば、２つの回転角を設定して検査を実施する。
【００３３】
図３（ａ）に示すように、例えば、１回目の検査の試料の回転角（第１の回転角）を基準の角度として、0°に設定する。次に、図３（ｂ）に示すように、２回目の検査の試料の回転角（第２の回転角）として、試料５０をＺ軸周りに、例えば、180°回転させた180°とする。この場合には、第１の回転角と第２の回転角との角度差は、180°である。
【００３４】
処理部３０は、撮像部２０によって撮像された画像データを受信する。画像データは、撮像部２０が撮像した試料５０の検出領域の、例えば、Ｍ×Ｎ個の輝度値を含んでいる。処理部３０は、試料５０の検査領域、例えば、試料５０の上面５１全面の画像を取得する。
【００３５】
処理部３０は、試料５０、例えば、イメージセンサが形成されたウエハの画像を取得する。試料５０の表面または試料５０の内部に欠陥が存在する場合、欠陥で散乱された光１２を検出した画素の輝度値は大きくなる。欠陥は、例えば、イメージセンサの受光部上のシミ状欠陥である。試料５０の画像において、欠陥の存在する部分の輝度は大きくなる。試料５０の画像の輝度変化に応じて、欠陥の個数、欠陥の種類、欠陥の位置等を検査することができる。
【００３６】
処理部３０は、例えば、記憶部（図示せず）を含んでいる。処理部３０は、取得した試料５０の画像を記憶部に保存する。例えば、処理部３０の記憶部は、回転角を第１の回転角とした試料５０の第１画像と、回転角を第１の回転角と異なる第２の回転角とした試料５０の第２画像とを保存する。処理部３０は、さらに、保存した第１画像及び第２画像に基づいて、試料５０に存在する欠陥の検査を行う。例えば、処理部３０は、第１画像における各画素の輝度値と、対応する第２画像の各画素の輝度値を加算する。そして、加算した結果を画像として可視化する。また、処理部３０は、ステージ４０の駆動を制御する。
【００３７】
次に、本実施形態の検査装置を用いた検査方法を説明する。
図４は、実施形態に係る検査方法を例示したフローチャート図である。まず、ステージ４０上に、試料５０を載置する。試料５０はイメージセンサが形成されたウエハである。
【００３８】
次に、図４のステップＳ１０に示すように、試料５０の上面５１に平行な面内において上面５１を回転させる回転角を設定する。例えば、試料５０を載置するステージ４０により回転角を設定する。なお、試料の回転角の設定は、ステージ４０の回転角設定部ではなく、光源１０及び撮像部２０に設けられた回転角設定部によって設定してもよい。
【００３９】
ステージ４０により、複数個の回転角、例えば２つの回転角を設定する。まず、１回目の検査の試料の回転角（第１の回転角）を基準の角度として、0°に設定する。また、照明角度１１ａ及びカメラ角度１２ａを設定する。照明角度１１ａを、例えば、7°〜10°、例えば、7°とする。カメラ角度１２ａを、例えば、9°〜15°、例えば、11°とする。
【００４０】
次に、図４のステップＳ２０に示すように、試料５０に対して照明光１１を照明する。照明光１１は、例えば、光源１０として線状光源を用いたライン状の照明光１１である。
【００４１】
次に、ステップＳ３０に示すように、照明光１１により照明された試料５０の暗視野の画像を撮像する。ライン状の照明光１１によって照射された試料５０のライン状の領域からの光１２を、撮像部２０のラインセンサにより検出する。光１２は、試料５０からの散乱光を含んでいる。試料５０の表面及び内部に存在する欠陥に応じて光１２の強度が変わる。よって、ラインセンサにより、光１２の強度の変化を、光１２の輝度値の変化として検出する。検査領域におけるＹ軸方向に沿ってＮ個の輝度値を検出する。そして、ステージ４０をＸ軸方向に所定間隔で移動させる。このとき、ラインセンサによるＹ軸に沿ったＮ個の画素による検出を繰り返す。Ｘ軸方向にＭ個の画素分だけ移動させることにより、検査領域の、例えば、Ｍ×Ｎ個の輝度値を検出する。このようにして、撮像部２０により、第１の回転角における検査領域の画像を撮像する。撮像した画像データを処理部３０に送信する。
【００４２】
次に、ステップＳ４０に示すように、試料の回転角の設定が所定の回数、例えば、２回行われたか判断する。試料の回転角の設定が所定の回数行われていない（Noの）場合には、ステップＳ１０に戻り、試料の回転角の設定が行われる。２回目の検査の試料の回転角（第２の回転角）を、例えば、180°として、第１の回転角の状態から試料５０をＺ軸周りに180°回転させる。
【００４３】
このように、第１の回転角と第２の回転角との角度差を、例えば、180°とする。そして、上述したステップＳ２０及びステップＳ３０を繰り返す。これにより、第１の回転角と異なる第２の回転角における検査領域の画像を撮像する。撮像した画像データを処理部３０に送信する。
【００４４】
試料の回転角の設定が所定の回数行われた（Yesの）場合には、ステップＳ５０に進み、欠陥の検査が実施される。
【００４５】
試料の回転角の設定が所定の回数行われた（Yesの）場合には、ステップＳ５０に示すように、回転角を第１の回転角及び第１の回転角と異なる第２の回転角とした試料５０の画像に基づいて、試料５０に存在する欠陥の検査を行う。
【００４６】
図５は、実施形態に係る検査装置により取得した試料の画像を模式的に例示した図であり、（ａ）は、第１の回転角を0°とした場合における画像を示し、（ｂ）は、第２の回転角を180°とした場合における画像を示し、（ｃ）は、処理部により合成した画像を示す。
【００４７】
図５（ａ）及び（ｂ）に示すように、撮像部２０で撮像された暗視野の画像には、複数の輝点が含まれている。なお、図５においては、輝点を黒く表示されるように白黒を反転させている。他の検査方法、例えば、顕微鏡を用いるミクロ検査においては、試料５０において、例えば、シミ状欠陥を検出することができる。顕微鏡観察によると、シミ状欠陥はウエハに形成されたチップの角度または残留した汚れ等を起点として帯状に発生した欠陥として観察される。
【００４８】
暗視野の画像におけるシミ状欠陥は、欠陥のエッジ部分が凸部となり、エッジ部分が輝度値を有する輝点の繋がりとして表示される。しかしながら、暗視野の画像には、シミ状欠陥のエッジ部分からの輝点の他に、イメージセンサの表面の凹凸によるバックグランドノイズも同様に輝度値を有する輝点として表示される。そして、シミ状欠陥の輝度値と、バックグラウンドノイズの輝度値とが、同じレベルの輝度値として表示される。このため、画像に表示される輝点の輝度値を二値化しても、シミ状欠陥とバックグランドノイズとを区別することができない。したがって、シミ状欠陥とバックグランドノイズとを分離するのが困難となっている。
【００４９】
本実施形態では、図５（ａ）及び（ｂ）に示すように、試料の回転角を変えた複数の画像を構成し、その画像を用いて欠陥の検査をしている。試料の回転角を変えてもシミ状欠陥６０の輝度値はあまり変化しない。これに対して、バックグラウンドノイズの場合には、試料の回転角を変えると、輝度値が変化することを見出した。そして、見出したこの原理を用いて試料５０の欠陥の検査を行う。
【００５０】
この原理は、シミ状欠陥６０がある程度の連続した凸形状をしており、照明される方向の影響を受けにくいということに基づいている。よって、試料の回転角を変えた場合でも、シミ状欠陥６０の輝度値の変化は小さくなっている。一方、バックグラウンドノイズとなるイメージセンサの表面の凸部の形状は、シミ状欠陥６０に比べて、ランダムな形状をしている。よって、照明される方向により明暗がランダムに変化する。よって、試料の回転角を変えた場合には、バックグラウンドノイズの輝度値の変化は大きくなっている。
【００５１】
したがって、試料の回転角を変化させた複数個の画像を取得し、それらの画像を合成することにより、シミ状欠陥６０をバックグラウンドノイズから分離して検出することができる。例えば、試料の回転角を0°とした図５（ａ）と、試料の回転角を、例えば、180°とした図５（ｂ）とでは、バックグランドノイズを示す画素の輝度値が異なっている。その一方で、シミ状欠陥６０を示す画素の輝度値は、図５（ａ）と図５（ｂ）とでは、あまり変化していない。よって、２つの画像を合成することにより、シミ状欠陥６０の輝度値は増加する。一方で、バックグラウンドノイズの輝度値はシミ状欠陥６０の輝度値に比べて小さくなる。これにより、合成した画像において輝度値を二値化することにより、バックグラウンドノイズを排除することができる。よって、シミ状欠陥６０を精度よく検出することができる。
【００５２】
本実施形態によれば、シミ状欠陥６０と、バックグラウンドノイズとの分離を行うことができ、シミ状欠陥６０を精度よく検出することができる。これにより、シミ状欠陥６０の検出漏れや誤検出を抑制することができる。
【００５３】
バックグラウンドノイズを排除するためには、第１の回転角と第２の回転角とが正反対となるように、両者の角度差を、180°とすることが望ましい。正反対の方向から照明することにより、バックグラウンドノイズの輝度値を最もランダムにすることができる。よって、第１の回転角及び第２の回転角の画像を合成した時のバックグラウンドノイズの輝度値の平均値を最も小さくすることができる。
【００５４】
また、180°の角度差の正反対とした場合の検査領域は、相互にＹ軸を対称軸として、線対称の関係にある。よって、撮像データを合成する場合には、一方の撮像データのＸ座標を反転させて、他方の撮像データと合成することができる。これにより、シミ状欠陥６０及びバックグラウンドノイズの位置を精度よく一致させて、撮像データを合成することができる。よって、欠陥の位置を正確に検出することができる。
【００５５】
さらに、回転角設定部は、試料５０が載置されたステージ４０に設けられることが好ましい。これにより、光学系はそのままで、ステージ４０のみ回転させることで、第１の回転角及び第２の回転角を設定することができる。よって、光源１０及び撮像部２０の位置及び角度を変える必要がないので、照射条件及び検出条件が変化することを抑制することができる。これにより、シミ状欠陥６０を精度よく検出することができる。
【００５６】
また、ステージ４０を反転させるだけで、第１の回転角及び第２の回転角を設定することができる。よって、欠陥の検査のスループットを向上させることができる。
【００５７】
シミ状欠陥６０がイメージセンサの受光部に形成されていると、受光部の感度等の特性に大きな影響を及ぼす。例えば、配線パターンが形成された半導体チップ上に、シミ状欠陥６０が形成されていても、配線パターン内を通電することさえできれば、さほど影響を及ぼさない。これに対して、イメージセンサの場合には、受光部にシミ状欠陥６０が存在すると、受光特性に大きな影響を及ぼし、イメージセンサの品質を低下させる。よって、本実施形態のようにシミ状欠陥６０を精度検出することにより、イメージセンサの品質を向上させることができる。
【００５８】
なお、本実施形態では、試料の回転角を、例えば、0°及び180°として検査したが、これに限らない。例えば、試料の回転角を、0°及び90°、90°及び270°等の組み合わせとしてもよい。また、このような試料の回転角の各バリエーションにおいて、照明角度１１ａを4°〜45°、カメラ角度１２ａを照明光１１の正反射光の反射角プラス2°〜8°としてもよい。例えば、照明角度１１ａが7°であれば、カメラ角度１２ａは9°〜15°、例えば、11°とする。照明角度１１ａが17°であれば、カメラ角度１２ａは19°〜25°、例えば、21°とする。
【００５９】
また、本実施形態に係る検査装置及び検査方法は、試料５０として、イメージセンサが形成されたウエハに限らない。レジストの塗布・現像・洗浄工程を有するLSIが形成された半導体チップの検査にも用いることができるし、露光用のマスクブランクスが形成されたマスクの検査に用いてもよい。
【００６０】
また、本実施形態の検査方法を用いて検査されたイメージセンサも、本発明の技術思想に含まれる。
【００６１】
以上、本発明の実施形態を説明したが、本発明はその目的と利点を損なうことのない適宜の変形を含み、更に、上記の実施形態よる限定は受けない。
【符号の説明】
【００６２】
１  検査装置
１０  光源
１１  照明光
１１ａ  照明角度
１２  光
１２ａ  カメラ角度
２０  撮像部
３０  処理部
４０  ステージ
５０  試料
５１  上面
６０  シミ状欠陥
【図１】
2017138246.tif 000003
【図２】
2017138246.tif 000004
【図３】
2017138246.tif 000005
【図４】
2017138246.tif 000006
【図５】
2017138246.tif 000007